(57)【要約】【目的】  生産性を上げることのできる画像読取装置及びこれを備えた画像形成装置を提供する。【解決手段】  表裏を反転させて第２原稿読取位置で停止する原稿Ｇを読み取るときの画像読取手段１３，１４の第２の待機位置を、第１原稿読取位置で停止する原稿Ｇを読み取るときの第１の待機位置よりも第２原稿読取位置側となるようにすることにより、第２原稿読取位置で停止している原稿Ｇの画像を読み取る際の画像読取手段１３，１４の待機位置からの移動距離を短くし、画像読取動作を開始するまでの時間を短くする。【選択図】      図４
2006108948.tif 000002
【特許請求の範囲】
【請求項１】
原稿台ガラス上の原稿読取位置に停止している原稿に沿って移動して前記原稿の画像を読み取る画像読取手段と、前記原稿を前記原稿台ガラスの一端側より搬送して第１原稿読取位置に停止させ、前記画像読取手段による画像の読み取りが終了した後は前記原稿台ガラスの他端側へ搬送する自動原稿送り装置とを備えた画像読取装置において、
前記自動原稿送り装置に設けられ、前記他端側へ搬送された原稿を、表裏を反転させて前記原稿台ガラス上へ前記他端側から搬送する反転搬送手段と、
前記反転搬送手段により搬送されて停止した原稿の画像を読み取る第２原稿読取位置と、
を備え、
前記第２原稿読取位置で停止する原稿を読み取るときの前記画像読取手段の第２の待機位置を、前記第１原稿読取位置で停止する原稿を読み取るときの第１の待機位置よりも第２原稿読取位置側としたことを特徴とする画像読取装置。
【請求項２】
前記第１原稿読取位置は、前記原稿の第１面の画像を読み取る位置であり、前記第２原稿読取位置は、前記第１面の画像が読み取られた後、表裏が反転した前記原稿の第２面の画像を読み取る位置であることを特徴とする請求項１記載の画像読取装置。
【請求項３】
前記原稿の搬送方向の長さを検知する検知手段を備え、
前記検知手段からの原稿長さ情報に応じて前記第２原稿読取位置で停止する原稿を読み取るときの前記画像読取手段の第２の待機位置を変更することを特徴とする請求項１又は２記載の画像読取装置。
【請求項４】
前記第１の待機位置は前記第１原稿読取位置に停止された原稿端と略一致し、前記第２の待機位置は前記第２原稿読取位置に停止された原稿端と略一致することを特徴とする請求項１乃至３のいずれか１項に記載の画像読取装置。
【請求項５】
原稿画像を読み取る前記請求項１乃至４のいずれか１項に記載の画像読取装置と、前記画像読取装置により読み取られた原稿画像に基づいて画像を形成する画像形成部とを備えたことを特徴とする画像形成装置。
【発明の詳細な説明】
【技術分野】
【０００１】
本発明は、画像読取装置及びこれを備えた画像形成装置に関し、特に原稿を自動的に画像読取装置の読み取り位置に搬送する自動原稿送り装置を備えたものに関する。
【背景技術】
【０００２】
従来、例えば画像形成装置の一例である複写機においては、原稿画像を読み取る画像読取装置を備えたものがあり、さらにこのような画像読取装置においては、原稿画像を読み取るための画像読取手段の他、読取原稿を所定の読取位置に搬送する自動原稿送り装置を備えたものがある。
【０００３】
そして、このような画像読取装置において、原稿画像を読み取る場合には、自動原稿送り装置の原稿載置台に原稿を載置した後、自動的に原稿を原稿台ガラス上に搬送し、この後、原稿画像を画像読取手段により読み取るようにしている（特許文献１参照。）。
【０００４】
図６は、このような従来の画像読取装置の一例を示す図であり、図６において、Ａは画像読取部、Ｂは自動原稿送り装置である。そして、自動原稿送り装置Ｂは画像読取部Ａの上に設けられた原稿台ガラス１０１の上面を覆うように取付けられている。
【０００５】
ここで、この自動原稿送り装置Ｂは、原稿載置台１０２が設けられた原稿載置部Ｕ１０１と、原稿載置台１０２上に載置された原稿Ｇの束から１枚づつ原稿を分離して給紙する原稿給紙部Ｕ１０２と、駆動ローラ１０５及び従動コロ１０６で張架されると共にベルト押圧コロ１０７ａ〜１０７ｄにて原稿台ガラス１０１に押圧された搬送ベルト１０４を備えた原稿搬送部Ｕ１０３と、読み取り後の原稿Ｇを反転排出する原稿反転排出部Ｕ１０４とを備えている。
【０００６】
また、画像読取部Ａは、原稿台ガラス１０１上の原稿を照明する照明手段としての蛍光灯１１５、照明光を原稿面に収束させる反射笠１１６、原稿からの反射光を折り返す第１ミラー１１７を備えた第１走査光学部１１３と、原稿の反射光を折り返す第２ミラー１１８及び第３ミラー１１９を備えた第２走査光学部１１４と、レンズ１２０と、画像読み取り素子としてのＣＣＤセンサ１２１とを備えている。
【０００７】
ここで、画像読取手段である第１走査光学部１１３及び第２走査光学部１１４は、不図示のレール部材にガイドされて矢印ＤまたはＪ方向に移動可能となっており、原稿Ｇが、原稿台ガラス１０１上の画像読取位置の原稿基準Ｃを基準にして載置されると、第１及び第２走査光学部１１３，１１４がＤ方向に移動走査することによって原稿画像を読み取るようになっている。なお、第２走査光学部１１４は、走査時に光路長が一定となるように、第１走査光学部１１３と同期して移動する。
【０００８】
次に、このように構成された画像読取装置の原稿画像読取動作について説明する。
【０００９】
原稿画像を読み取る場合には、まず原稿載置台１０２上に載置された原稿Ｇのうち最上位の原稿を原稿給紙部Ｕ１０２により分離搬送する。そして、このように分離搬送された最上位の原稿Ｇは、レジストローラ対１０３ａ，１０３ｂに導かれ、このレジストローラ対１０３ａ，１０３ｂにより斜行が補正された後に原稿搬送部Ｕ１０３へ搬送され、この後、原稿台ガラス１０１に押圧されている搬送ベルト１０４と原稿台ガラス１０１との間に進入する。
【００１０】
次に、このように原稿Ｇが進入すると、搬送ベルト１０４が回転し、これにより原稿Ｇは搬送ベルト１０４の摩擦力により原稿台ガラス１０１上をＤ方向に搬送される。そして、この後、搬送ベルト１０４により搬送された原稿Ｇの搬送方向上流側端（以下、後端という）Ｈが、原稿台ガラス１０１の画像読取位置の原稿基準Ｃに達すると、搬送ベルト１０４が停止し、原稿Ｇが停止する。なお、この画像読取位置の原稿基準Ｃは一般的に原稿台ガラス１０１の左側（原稿給紙部側）に位置している。
【００１１】
次に、このように原稿Ｇが停止すると、第１及び第２走査光学部１１３，１１４がＤ方向に移動走査し、この移動走査の際に蛍光灯１１５からの光が原稿に照射され、この後、原稿からの反射光が第１〜第３ミラー１１７，１１８，１１９を経てレンズ１２０により収束され、ＣＣＤセンサ１２１上に結像する。これにより、原稿画像が読み取られる。
【００１２】
次に、このような原稿画像読み取り終了後、搬送ベルト１０４が再び回転し、これにより原稿ＧはＤ方向へ搬送され、原稿台ガラス１０１の右端に固定されている右ジャンプ台１０８を経て、原稿反転排出部Ｕ１０４へ導入される。なお、この原稿反転排出部Ｕ１０４は、図７に示すように、正逆転可能な反転ローラ１０９、導入パスＰ１、反転パスＰ２、排出パスＰ３及び搬出パスＰ４を備えている。
【００１３】
ここで、読み取りモードとして片面読み取りモードが設定されている場合、原稿Ｇは図７の（ａ）に示すように、原稿反転排出部Ｕ１０４の導入パスＰ１へ送り込まれた後、反転ローラ１０９のＥ方向の正転駆動により反転パスＰ２を通して排出パスＰ３へ送り込まれ、さらに搬出パスＰ４へ送り込まれる。
【００１４】
そして、このように原稿Ｇが搬出パスＰ４へ送り込まれた後、搬送ベルト１０４をＪ方向へ逆転駆動することにより、図７の（ｂ）に示すように、原稿Ｇを再度原稿台ガラス１０１上に搬送すると、反転ローラ１０９は停止する。このとき、原稿Ｇはオモテ面が上向きとなった状態となる。
【００１５】
次に、図８の（ａ）に示すように、原稿Ｇの後端Ｈが反転ローラ１０９と反転コロ１０９ａとのニップ部を通過すると、所定のタイミングで反転ローラ１０９をＦ方向へ逆転駆動させると共に、フラッパＦ１を上方回動させ、且つ搬送ベルト１０４をＤ方向に正転駆動させて原稿Ｇを搬出パスＰ４へスイッチバックさせる。これにより、図８の（ｂ）に示すように、原稿Ｇを排出パスＰ３を通して原稿排出台１１０へ排出する。
【００１６】
なお、このとき、排出された原稿Ｇはオモテ面が下向きとなり、このようにオモテ面が下向きの状態で原稿Ｇを排出することにより、原稿Ｇを連続して排出する場合、排出された原稿Ｇがページ順に積載される。
【００１７】
一方、読み取りモードとして両面読み取りモードが設定されている場合は、片面読み取りモードの場合と同様、まず図７の（ａ）及び（ｂ）に示すように反転ローラ１０９のＥ方向の正転駆動により、原稿Ｇを導入パスＰ１から反転パスＰ２、排出パスＰ３、搬出パスＰ４の順で通し、未だ読み取られていないウラ面が下向きになった状態で原稿Ｇを再度原稿台ガラス１０１に搬送する。
【００１８】
次に、原稿Ｇを搬送ベルト１０４の逆転駆動によりＪ方向へ運び、図９に示すように原稿台ガラス１０１の左端に固定されている左ジャンプ台１１１を経て、搬送ローラ対１０３ａ，１０３ｂにより原稿給送部Ｕ１０２に設けられたレジ前センサ１１２まで搬送する。この後、原稿Ｇの、後端Ｈと反対側の搬送方向下流端（以下、先端という）Ｎがレジ前センサ１１２を構成する発光部１１２ａ及び受光部１１２ｂの間を通過すると、搬送ベルト１０４及び搬送ローラ対１０３ａ，１０３ｂを逆転し、原稿ＧをＤ方向へ搬送する。
【００１９】
なお、このように原稿ＧがＤ方向へ搬送されると、レジ前センサ１１２によって再度、先端Ｎが検知される。そして、このように先端Ｎが検知された時点から所定量原稿Ｇを搬送するようにすれば、原稿Ｇを画像読取位置の原稿基準Ｃにて停止させることができる。ここで、原稿Ｇのサイズが変わっても、レジ前センサ１１２が先端Ｎを検知した時点から、画像読取位置の原稿基準Ｃまでの搬送量は一定であることから、原稿サイズによって原稿停止位置がばらつくことはない。なお、これは既述した原稿のオモテ面の時も同じ制御である。
【００２０】
次に、オモテ面の時と同様、第１及び第２走査光学部１１３，１１４がＤ方向に移動走査することにより、ウラ面の画像が読み取られる。この後、画像が読み取られた原稿Ｇは、搬送ベルト１０４によりＤ方向へ搬送され、右ジャンプ台１０８を経て、再度原稿反転排出部Ｕ１０４へ導入される。
【００２１】
そして、このように原稿反転排出部Ｕ１０４の導入パスＰ１へ送り込まれた原稿Ｇは、図８の（ａ）に示す反転ローラ１０９のＦ方向の逆転駆動により、排出パスＰ３を通って図８の（ｂ）に示すように原稿排出台１１０に排出される。なお、このとき、排出された原稿Ｇはオモテ面が下向きとなり、片面読み取りモードの場合同様、連続して排出される原稿Ｇはページ順に積載される。
【００２２】
ところで、第１及び第２走査光学部１１３，１１４は、片面読み取りモードの場合は、原稿画像読み取り後、Ｊ方向に移動して図６に示す待機位置に戻り、この後、次の原稿が画像読取位置の原稿基準Ｃを基準にして載置されるまで待機する。
【００２３】
また、両面読み取りモードの場合は、原稿のオモテ面の画像を読み取った後、まずＪ方向に移動して図６に示す待機位置に戻り、次に原稿反転排出部Ｕ１０４によって反転させられ、ウラ面を下にした状態で画像読取位置の原稿基準Ｃに載置された原稿Ｇのウラ面画像を読み取るようＤ方向に移動し、この後、Ｊ方向に移動して待機位置に戻る。
【００２４】
【特許文献１】特開２００２−０４９１８８号公報
【発明の開示】
【発明が解決しようとする課題】
【００２５】
しかしながら、このような従来の画像読取装置及びこれを備えた複写機（画像形成装置）においては、原稿の表裏両面の画像を読み取る場合には、まず画像読取位置にてオモテ面の画像を読み取った後、原稿を原稿反転排出部に搬送し、次に原稿反転排出部にて表裏を反転して原稿台ガラスに戻した後、原稿台ガラスの右端から左端まで搬送して原稿給紙部まで戻し、この後、再度オモテ面と同じ画像読取位置に原稿を搬送するようにしている。このため、原稿を搬送する距離が非常に長く、生産性の低下の原因となっている。
【００２６】
そこで、このような生産性の低下を防ぐため、例えば原稿台ガラスの右側（原稿反転排出部側）に第２の画像読取位置の原稿基準を設け、オモテ面の画像読取後、反転排紙部にて原稿の表裏を反転して再び原稿台ガラスに戻す時に、第２の画像読取位置の原稿基準にて原稿を停止させ、この位置で画像を読み取るようにすることにより、原稿搬送距離を短くし、生産性を上げることができる。
【００２７】
しかし、このように構成した場合でも、第１及び第２走査光学部１１３，１１４の待機位置が原稿台ガラスの左端に設定されているため、第１及び第２走査光学部１１３，１１４は、オモテ面の画像読取り時に走査した後、再度左端の待機位置に戻り、ウラ面の画像読取りのための走査時は、原稿のサイズに関係無く原稿台ガラスの左端から右端まで走査することになる。
【００２８】
したがって、第１及び第２走査光学部１１３，１１４の待機位置からの移動距離が長くなり、これに伴い第１及び第２走査光学部１１３，１１４が画像読取動作を開始するまでの時間が長くなることから、生産性を上げることができない。
【００２９】
そこで、本発明は、このような現状に鑑みて為されたものであり、生産性を上げることのできる画像読取装置及びこれを備えた画像形成装置を提供することを目的とするものである。
【課題を解決するための手段】
【００３０】
本発明は、原稿台ガラス上の原稿読取位置に停止している原稿に沿って移動して前記原稿の画像を読み取る画像読取手段と、前記原稿を前記原稿台ガラスの一端側より搬送して第１原稿読取位置に停止させ、前記画像読取手段による画像の読み取りが終了した後は前記原稿台ガラスの他端側へ搬送する自動原稿送り装置とを備えた画像読取装置において、前記自動原稿送り装置に設けられ、前記他端側へ搬送された原稿を、表裏を反転させて前記原稿台ガラス上へ前記他端側から搬送する反転搬送手段と、前記反転搬送手段により搬送されて停止した原稿の画像を読み取る第２原稿読取位置と、を備え、前記第２原稿読取位置で停止する原稿を読み取るときの前記画像読取手段の第２の待機位置を、前記第１原稿読取位置で停止する原稿を読み取るときの第１の待機位置よりも第２原稿読取位置側としたことを特徴とするものである。
【発明の効果】
【００３１】
本発明のように、第２原稿読取位置で停止する原稿を読み取るときの画像読取手段の待機位置を、第１原稿読取位置で停止する原稿を読み取るときの待機位置よりも第２原稿読取位置側となるようにすることにより、第２原稿読取位置で停止している原稿の画像を読み取る際の画像読取手段の待機位置からの移動距離を短くすることができ、これにより画像読取動作を開始するまでの時間が短くなり、生産性を上げることができる。
【発明を実施するための最良の形態】
【００３２】
以下、本発明を実施するための最良の形態について図面を用いて詳細に説明する。
【００３３】
図１は本発明の実施の形態に係る画像読取装置を備えた画像形成装置の一例であるデジタル複写機の構成を示す図である。
【００３４】
同図において、５０はデジタル複写機、５１はデジタル複写機本体（以下、装置本体という）であり、この装置本体５１の上部には自動原稿送り装置Ｂと、画像読取部Ａとを備えた画像読取装置１００が、中央部には画像形成部５２がそれぞれ設けられている。
【００３５】
そして、このような構成のデジタル複写機５０では、画像形成の際は、まず自動原稿送り装置Ｂにセットした複数枚の原稿Ｇを順次読取位置に給送し、この後、この原稿Ｇを後述する原稿読取手段によって読み取ると共に、この読み取り情報に応じて画像形成部５２の感光体ドラム５３の表面にトナー画像を形成するようにしている。
【００３６】
次に、このような感光体ドラム表面のトナー画像形成のタイミングに合わせ、シート給送部５４により給送された記録媒体Ｓをレジストローラ５５により、感光体ドラム５３と転写帯電器５６の間に搬送すると共に、転写帯電器５６へのバイアス印加によって感光体ドラム５３上に形成したトナー画像を記録媒体Ｓに転写するようにしている。
【００３７】
次に、このようにしてトナー画像が転写された記録媒体Ｓは、搬送ベルト５７によって定着器５８へ搬送され、この定着器５８により、熱及び圧力が印加されて記録媒体上にトナー画像が定着される。そして、最後に、この記録媒体Ｓは排出ローラ５９によってシート排出トレイ６０へと排出される。
【００３８】
図２は、本実施の形態に係る画像読取装置１００の構成を示す図であり、図２に示すように、自動原稿送り装置Ｂは、原稿載置台１０２が設けられた原稿載置部Ｕ１と、原稿載置台１０２上に載置された原稿Ｇの束から１枚づつ原稿を分離して給紙する原稿給紙部Ｕ２と、駆動ローラ１０５及び従動コロ１０６で張架されると共にベルト押圧コロ１０７ａ〜１０７ｄにて原稿台ガラス１０１に押圧された搬送ベルト１０４を備えた原稿搬送部Ｕ３と、読み取り後の原稿Ｇを反転排出する原稿反転排出部Ｕ４とを備えている。
【００３９】
また、画像読取部Ａは、原稿台ガラス１０１上の原稿を照明する照明手段としての蛍光灯１１５、照明光を原稿面に収束させる反射笠１１６、原稿の反射光を折り返す第１ミラー１１７を備えた第１走査光学部１３と、原稿の反射光を折り返す第２ミラー１１８及び第３ミラー１１９を備えた第２走査光学部１４と、レンズ１２０と、画像読み取り素子としてのＣＣＤセンサ１２１を備えている。
【００４０】
なお、本実施の形態における第１及び第２走査光学部１３，１４の機能作用は、既述した図６に示す、従来の画像読取装置の第１及び第２走査光学部１１３，１１４の機能作用と同じであるので、第１及び第２走査光学部１３，１４の機能作用についての説明は省略する。
【００４１】
なお、図２において、Ｔは原稿台ガラス１０１の一端である左端に設けられた第１画像読取位置の原稿基準であり、この第１画像読取位置の原稿基準Ｔは、原稿台ガラス１０１の左端から１１ｍｍのところに設けられている。また、Ｖは原稿台ガラス１０１の他端である右端に設けられた第２画像読取位置の原稿基準であり、この第２画像読取位置の原稿基準Ｖは、原稿台ガラス１０１の右端から１１ｍｍのところに設けられている。
【００４２】
１２は原稿給紙部Ｕ２に設けられ、発光部１２ａと受光部１２ｂとを備えたレジ前センサであり、このレジ前センサ１２によって、原稿給紙部Ｕ２により搬送される原稿Ｇの搬送方向下流（以下、原稿先端という）Ｍと、搬送方向上流（以下、原稿後端という）Ｋを検知することによって、原稿の搬送方向長さＬを検知することができる。
【００４３】
さらに、原稿Ｇの搬送方向長さを検知する検知手段であるレジ前センサ１２が、原稿後端Ｋを検知した時点から所定量原稿Ｇを搬送することで原稿Ｇを、常に第１画像読取位置の原稿基準Ｔを基準にして停止させることができる。
【００４４】
また、２２は原稿反転排出部Ｕ４に設けられ、発光部２２ａと受光部２２ｂとを備えた反転出口センサであり、後述する両面読み取りモードの際、この反転出口センサ２２によって、原稿後端Ｋを検知し、その時点から所定量原稿Ｇを搬送することで原稿Ｇはいつも第２画像読取位置の原稿基準Ｖを基準にして停止させることができる。
【００４５】
ところで、原稿Ｇを第１画像読取位置の原稿基準Ｔを基準にして停止させると、画像読取手段である第１及び第２走査光学部１３，１４が停止している原稿Ｇに沿ってＤ方向へ走査し、これにより原稿Ｇのオモテ面が読み取られる。ここで、本実施の形態において、第１及び第２走査光学部１３，１４の移動距離はレジ前センサ１２により検知された原稿Ｇの長さＬ相当分としている。
【００４６】
さらに、この後、第１及び第２走査光学部１３，１４は原稿Ｇのオモテ面を読み取った後、後述する図３に示す第１の待機位置Ｑへは戻らず、レジ前センサ１２により検知された原稿Ｇの長さＬ相当分、第２画像読取位置の原稿基準Ｖから左側の、後述する図４に示す第２の待機位置Ｒへ移動し、この後、原稿Ｇが第２画像読取位置の原稿基準Ｖを基準にして停止するまで待機している。
【００４７】
そして、後述する両面読取モードの場合において、原稿Ｇが原稿反転排出部Ｕ４により反転され、原稿後端Ｋが、第２画像読取位置の原稿基準Ｖまで搬送されて停止すると、第１及び第２走査光学部１３，１４がレジ前センサ１２により検知された原稿の長さＬ相当分、原稿Ｇに沿ってＤ方向へ走査することにより原稿Ｇのウラ面が読み取られる。なお、このように原稿Ｇのウラ面を読み取った後、第１及び第２走査光学部１３，１４は次の原稿のオモテ面を読取る為に、左端の第１の待機位置Ｑへ戻る。
【００４８】
次に、このような構成の画像読取装置１００の両面読み取りモードにおける画像読取動作について説明する。
【００４９】
図２に示すように、原稿載置部Ｕ１の原稿載置台１０２に載置された原稿Ｇは、原稿給紙部Ｕ２により、オモテ面が下向きになった状態で原稿台ガラス１０１上へ搬送される。ここで、原稿Ｇのサイズが、例えばＡ４の場合、レジ前センサ１２からの原稿長さ情報により不図示の制御部は、原稿Ｇの搬送方向の長さＬが２１０ｍｍであることを検知する。そして、この後、この制御部は、搬送ベルト１０４を回転させ、原稿後端Ｋを検知した時点から所定量原稿Ｇを搬送して原稿Ｇを停止させることにより、原稿Ｇは第１画像読取位置の原稿基準Ｔを基準にして停止する。
【００５０】
なお、原稿が停止するまで第１及び第２走査光学部１３，１４は、図３に示すように、左端の第１の待機位置Ｑで待機している。
【００５１】
そして、原稿後端Ｋが第１画像読取位置の原稿基準Ｔまで搬送されて原稿Ｇが停止すると、第１及び第２走査光学部１３，１４が、レジ前センサ１２によって検知された原稿Ｇの長さＬ（＝２１０ｍｍ）相当分、原稿Ｇに沿ってＤ方向へ走査する。これにより、原稿Ｇのオモテ面が読み取られる。
【００５２】
次に、このような原稿オモテ面の読み取り終了後、搬送ベルト１０４が再び回転し、これにより原稿ＧはＤ方向へ搬送され、原稿台ガラス１０１の右端に固定されている右ジャンプ台８を経て、原稿反転排出部Ｕ４へ導入される。なお、この原稿反転排出部Ｕ４は、正逆転可能な反転搬送手段である反転ローラ１０９、導入パスＰ１、反転パスＰ２、排出パスＰ３及び搬出パスＰ４を備えている。
【００５３】
そして、この原稿反転排出部Ｕ４では、原稿を導入パスＰ１から反転パスＰ２、排出パスＰ３、搬出パスＰ４の順で通し、未だ読み取られていないウラ面が下向きになった状態で原稿Ｇを再度原稿台ガラス１０１に搬送する。そして、この際、制御部は、反転出口センサ２２によって原稿後端Ｋを検知した時点から所定量原稿Ｇを搬送して停止させる。これにより、原稿Ｇは第２画像読取位置の原稿基準Ｖを基準にして停止する。
【００５４】
一方、第１及び第２走査光学部１３，１４は原稿のオモテ面を読み取った後、第１の待機位置Ｑへは戻らず、レジ前センサ１２によって検知された原稿の長さＬ（＝２１０ｍｍ）相当分、第２画像読取位置の原稿基準Ｖから左側の、図４に示す第２の待機位置Ｒへ移動し、原稿Ｇが停止するまで待機している。
【００５５】
そして、原稿Ｇの原稿端部Ｋが第２画像読取位置の原稿基準Ｖまで搬送され、原稿Ｇが停止すると、第１及び第２走査光学部１３，１４は原稿の長さＬ（＝２１０ｍｍ）相当分、原稿Ｇに沿ってＤ方向へ走査する。これにより、原稿Ｇのウラ面が読み取られる。
【００５６】
次に、このような原稿Ｇのウラ面画像の読み取り終了後、搬送ベルト１０４が再び回転し、これにより原稿ＧはＤ方向へ搬送され、再度右ジャンプ台８を経て、原稿反転排出部Ｕ４へ導入され、原稿反転排出部Ｕ４によって原稿排出台１０へ排出される。また、第１及び第２走査光学部１３，１４は次の原稿のオモテ面を読取るために、図３に示す左端の第１の待機位置Ｑへ戻る。
【００５７】
なお、原稿サイズが他のサイズの場合、例えば原稿サイズがＢ４の場合、レジ前センサ１２により原稿Ｇの長さＬは３６４ｍｍと検知する。これにより、既述したように、原稿Ｇの原稿後端Ｋが第１画像読取位置の原稿基準Ｔまで搬送されて停止すると、第１及び第２走査光学部１３，１４は検知された原稿の長さＬ（＝３６４ｍｍ）相当分、原稿Ｇに沿ってＤ方向へ走査することにより原稿Ｇのオモテ面が読み取られる。
【００５８】
そして、この場合も、このように原稿Ｇのオモテ面を読み取った後、第１及び第２走査光学部１３，１４は、第１の待機位置Ｑへは戻らず、検知された原稿の長さＬ（＝３６４ｍｍ）相当分、第２画像読取位置の原稿基準Ｖから左側の、図５に示す待機位置Ｚへ移動し、反転した後、原稿Ｇが第２画像読取位置の原稿基準Ｖを基準にして停止するまで待機している。
【００５９】
そして、原稿Ｇの原稿端部Ｋが第２画像読取位置の原稿基準Ｖまで搬送され、原稿Ｇが停止すると、第１及び第２走査光学部１３，１４は原稿の長さＬ（＝３６４ｍｍ）相当分Ｄ方向へ走査する。これにより、原稿Ｇのウラ面が読み取られる。
【００６０】
次に、このような原稿ウラ面の読み取り終了後、搬送ベルト１０４が再び回転し、これにより原稿ＧはＤ方向へ搬送され、再度右ジャンプ台８を経て、原稿反転排出部Ｕ４へ導入され、原稿反転排出部Ｕ４によって原稿排出台１０へ排出される。また、第１及び第２走査光学部１３，１４は次の原稿のオモテ面を読取るために、図３に示す左端の第１の待機位置Ｑへ戻る。
【００６１】
ここで、本実施の形態のように、原稿Ｇのウラ面画像を読み取る際、第１及び第２走査光学部１３，１４の待機位置を左端とせず、それより第２画像読取位置の原稿基準Ｖ側にすることにより、ウラ面を読み取る時に原稿台ガラス１０１の左端から右端まで走査し、また待機位置に戻るために右端から左端へ移動する、ということがなくなる。これにより、第１及び第２走査光学部１３，１４が走査する距離を短くすることができる。
【００６２】
言い換えれば、第２画像読取位置の原稿基準Ｖを基準にして停止する原稿Ｇを読み取るときの第１及び第２走査光学部１３，１４の待機位置を、第１画像読取位置の原稿基準Ｔで停止する原稿Ｇを読み取るときの待機位置よりも第２画像読取位置側となるようにすることにより、第２原稿読取位置で停止している原稿の画像を読み取る際の第１及び第２走査光学部１３，１４の待機位置からの移動距離を短くすることができる。これにより、画像読取動作を開始するまでの時間が短くなり、生産性を上げることができる。
【００６３】
なお、これまでの説明においては、第２画像読取位置で停止する原稿Ｇを読み取るときの第１及び第２走査光学部１３，１４の第２の待機位置を、第２画像読取位置の原稿基準Ｖから原稿の長さ分だけ第１画像読取位置側としたが、少なくともこの第２の待機位置が、第１画像読取位置で停止する原稿Ｇを読み取るときの第１及び第２走査光学部１３，１４の待機位置よりも第２画像読取位置側となるようにすれば、画像読取動作を開始するまでの時間が短くなり、生産性を上げることができる。
【図面の簡単な説明】
【００６４】
【図１】本発明の実施の形態に係る画像読取装置を備えた画像形成装置の一例であるデジタル複写機の構成を示す図。
【図２】上記画像読取装置の構成を示す図。
【図３】上記画像読取装置の画像読取動作を説明する第１の図。
【図４】上記画像読取装置の画像読取動作を説明する第２の図。
【図５】上記画像読取装置の画像読取動作を説明する第３の図。
【図６】従来の画像読取装置の構成を示す図。
【図７】従来の画像読取装置に設けられた自動原稿送り装置の反転排紙部の反転排紙動作を説明する第１の図。
【図８】従来の画像読取装置に設けられた自動原稿送り装置の反転排紙部の反転排紙動作を説明する第２の図。
【図９】従来の画像読取装置に設けられた原稿給紙部の構成を示す図。
【符号の説明】
【００６５】
１２          レジ前センサ
１３          第１走査光学部
１４          第２走査光学部
５０          デジタル複写機
５２          画像形成部
１００        画像読取装置
１０１        原稿台ガラス
１０２        原稿載置台
１０４        搬送ベルト
Ａ            画像読取部
Ｂ            自動原稿送り装置
Ｇ            原稿
Ｔ            第１画像読取位置の原稿基準
Ｖ            第２画像読取位置の原稿基準
【図１】
2006108948.tif 000003
【図２】
2006108948.tif 000004
【図３】
2006108948.tif 000005
【図４】
2006108948.tif 000006
【図５】
2006108948.tif 000007
【図６】
2006108948.tif 000008
【図７】
2006108948.tif 000009
【図８】
2006108948.tif 000010
【図９】
2006108948.tif 000011